(57)【要約】      （修正有）【課題】足先の冷えを防ぐとともに、着脱することなく容易に用を足すことができ、下腹部が蒸れにくい和装用タイツを提供する。【解決手段】パンティ部２０と、パンティ部２０の下端に連続して設けられた一対の脚部４０と、それぞれの脚部４０に連続して設けられた足部５０とを備える和装用タイツ１０であって、パンティ部２０の正面２６から背面の一部であって、和装用タイツ１０を着用した際に下腹部から股部および臀部を覆う部分の一部に開口部３０が一体的に設けられており、足部５０に、足の親指を入れる親指袋５２と親指以外の４本の指を入れる四指袋５４とを有することを特徴とする。【選択図】図１
0003217550.tif 000002
【実用新案登録請求の範囲】
【請求項１】
パンティ部と、前記パンティ部の下端に連続して設けられた一対の脚部と、それぞれの前記脚部に連続して設けられた足部とを備える和装用タイツであって、
前記パンティ部の正面から背面の一部であって、前記和装用タイツを着用した際に下腹部から股部および臀部を覆う部分の一部に開口部が一体的に設けられており、
前記足部に、足の親指を入れる親指袋と親指以外の４本の指を入れる四指袋とを有することを特徴とする、和装用タイツ。
【請求項２】
前記足部の甲にクッション部が形成されていることを特徴とする、請求項１に記載する和装用タイツ。
【請求項３】
前記パンティ部と前記脚部との間にランガード部が設けられており、前記開口部の下端が前記ランガード部の上端およびその近傍に設けられていることを特徴とする、請求項１又は請求項２に記載する和装用タイツ。
【請求項４】
和装用タイツの開口部は、右脚側の前記開口部の下端および左脚側の前記開口部の下端を重ねると、右脚側の前記開口部の下端および左脚側の前記開口部の下端と前記開口部の上端とが尖った紡錘形状をしており、
前記開口部の上端から前記開口部の右端を経て前記開口部の下端に至る開口曲線、および前記開口部の上端から前記開口部の左端を経て前記開口部の下端に至る開口曲線は、正面視楕円の円弧状であり、
和装用タイツを着用した際に、
正面から見ると、右脚側の前記開口部の下端および左脚側の前記開口部の下端は、それぞれの脚の大腿部の上部に位置するように形成され、前記開口部の正面側の上端は、身体の中心線上に位置するように形成され、前記開口部の正面側の右端および前記開口部の正面側の左端はそれぞれの脚の中心線上に位置するように形成され、
背面から見ると、右脚側の前記開口部の下端および左脚側の前記開口部の下端は、それぞれの脚の大腿部の上部に位置するように形成され、前記開口部の背面側の上端は、身体の中心線上に位置するように形成され、前記開口部の背面側の右端および前記開口部の背面側の左端はそれぞれの脚の中心線上に位置するように形成され、
底面から見ると、前記開口部は、右脚側の前記開口部の下端および左脚側の前記開口部の下端を通る帯状に形成され、
前記開口部の右端から前記開口部の上端を経て前記開口部の左端に至る開口曲線は正面視および背面視円弧状であり、
前記開口部の上端から右脚側の前記開口部の下端に至る開口曲線と前記開口部の上端から左脚側の前記開口部の下端に至る開口曲線とは、身体の中心線において線対称であり、
開口部は全体として卵型であることを特徴とする、請求項１ないし請求項３のいずれかに記載する和装用タイツ。
【請求項５】
前記パンティ部の上端にウエストベルト部が設けられていることを特徴とする、請求項１ないし請求項４のいずれかに記載する和装用タイツ。
【考案の詳細な説明】
【技術分野】
【０００１】
本考案は、和装用タイツに関する。
【背景技術】
【０００２】
従来から、冠婚葬祭などのフォーマルな場所やお茶会などにおいて、和装する（着物を着る）ことが多い。従来から和装する際は、素足に足袋を履くことが慣例となっている。しかし、寒冷期に素足に足袋を履いただけでは寒く、足先が冷えるという問題があった。
【０００３】
そこで、防寒対策の１つとして、従来から特許文献１のような和装用靴下を履き、その上に足袋を履くことが知られている。特に日本舞踊や茶道の場合は、正座から立ち上がる等、和装した状態で体を動かすことが多く、和装用靴下がずれやすい。和装用靴下のずれを防止するために、つま先から下腹部まで覆うことができる和装用タイツが好まれる。従来の和装用タイツは、パンティ部と、パンティ部に連続して設けられた一対の脚部と、一対の脚部に連続して設けられた足部とを備え、下半身用下着（パンティ等）を着用後、下半身用下着の上に重ねて着用するものである。
【先行技術文献】
【特許文献】
【０００４】
【特許文献１】実用新案登録第３２０６８０５号
【考案の概要】
【考案が解決しようとする課題】
【０００５】
特許文献１のような和装用靴下（和装用タイツ）は、つま先から下腹部まで和装用タイツに覆われているため、用を足す（排泄する）際に、和装用タイツも下半身用下着とともに上げ下ろしする必要がある。しかしながら、和装用タイツを着用した後、着付けをすると、着付け時に和装用タイツの履き口が自分の体と帯との間に挟まれてしまうことが多く、用を足す（排泄する）際に、和装用タイツの着脱に時間がかかってしまうという問題があった。
【０００６】
また、特許文献１のような和装用靴下（和装用タイツ）に使用される合成繊維は、通気性が無く、さらに和装時は肌襦袢、長襦袢、着物など複数枚重ねて着用するため、下腹部に布が重なり、下腹部が蒸れやすいという問題があった。
【０００７】
それゆえに、本考案の主たる目的は、足先の冷えを防ぐとともに、着脱することなく容易に用を足すことができ、下腹部が蒸れにくい和装用タイツを提供することである。
【課題を解決するための手段】
【０００８】
本考案にかかる和装用タイツは、パンティ部と、パンティ部の下端に連続して設けられた一対の脚部と、それぞれの脚部に連続して設けられた足部とを備える和装用タイツであって、パンティ部の正面から背面の一部であって、和装用タイツを着用した際に下腹部から股部および臀部を覆う部分の一部に開口部が一体的に設けられており、足部に、足の親指を入れる親指袋と親指以外の４本の指を入れる四指袋とを有することを特徴とする。
また、上記の和装用タイツにおいて、足部の甲にクッション部が形成されていることが好ましい。
さらに、パンティ部と脚部との間にランガード部が設けられており、開口部の下端がランガード部の上端およびその近傍に設けられていることが好ましい。
またさらに、和装用タイツの開口部は、右脚側の開口部の下端および左脚側の開口部の下端を重ねると、右脚側の開口部の下端および左脚側の開口部の下端と開口部の上端とが尖った紡錘形状をしており、開口部の上端から開口部の右端を経て開口部の下端に至る開口曲線、および開口部の上端から開口部の左端を経て開口部の下端に至る開口曲線は、正面視楕円の円弧状であり、和装用タイツを着用した際に、正面から見ると、右脚側の開口部の下端および左脚側の開口部の下端は、それぞれの脚の大腿部の上部に位置するように形成され、開口部の正面側の上端は、身体の中心線上に位置するように形成され、開口部の正面側の右端および開口部の正面側の左端はそれぞれの脚の中心線上に位置するように形成され、背面から見ると、右脚側の開口部の下端および左脚側の開口部の下端は、それぞれの脚の大腿部の上部に位置するように形成され、開口部の背面側の上端は、身体の中心線上に位置するように形成され、開口部の背面側の右端および開口部の背面側の左端はそれぞれの脚の中心線上に位置するように形成され、底面から見ると、開口部は、右脚側の開口部の下端および左脚側の開口部の下端を通る帯状に形成され、開口部の右端から開口部の上端を経て開口部の左端に至る開口曲線は正面視および背面視円弧状であり、開口部の上端から右脚側の開口部の下端に至る開口曲線と開口部の上端から左脚側の開口部の下端に至る開口曲線とは、身体の中心線において線対称であり、開口部は全体として卵型であることが好ましい。
さらに、パンティ部の上端にウエストベルト部が設けられていることが好ましい。
【０００９】
本考案に係る和装用タイツを着用することにより、素足と足袋との間に和装用タイツが設けられるため、和装用タイツによって足先の体温が外気に逃げることを防ぐことができ、素足に直接足袋を履くよりも足先の冷えを防ぐことができる。さらに、パンティ部の前面から背面の一部であって、排泄部位である外尿道口および肛門ならびにそれら近傍を覆う部分に開口部が一体的に設けられており、本考案の和装用タイツを着用後、下半身用下着を着用することで、和装用タイツを着脱することなく、下半身用下着だけを上げ下ろしできるため、容易に用を足すことができる。和装用タイツを着脱する必要がないため、着付け時に和装用タイツの履き口が帯に挟まれていたとしても、下半身用下着の着脱は容易にできる。さらに、開口部が広範囲に設けられているため、着物等を複数枚重ねて着用しても、下腹部が蒸れることがなく快適に着用することができる。
また、足部の甲にクッション部をさらに設けることにより、正座をしても足袋の中央にある縫目が直接当たらず、痛みを軽減することができ、草履や下駄等を履いて歩行する場合でも、鼻緒が擦れることによる痛みを軽減することができる。
さらに、開口部の下端がランガード部の上端またはその近傍に設けられており、開口部の下端に歩行等によって力がかかったとしても、ランガード部が存在するため、脚部がほつれることは無い。
また、和装用タイツを正面および背面から見ると、開口部が紡錘形状に設けられており、和装用タイツを着用すると、身体に沿って引っ張られ、開口部が卵型に設けられていることにより、和装用タイツを着用した際に、パンティ部の開口部側の周縁となるステッチ部が排泄部位から離れた位置に設けられるため、パンティ部が排泄物によって汚れる心配が少なく、和装用タイツを清潔に着用することができる。
さらに、パンティ部の上端にウエストベルト部が設けられていることにより、ウエストベルト部が腹囲およびその近傍を固定しているため、歩行や正座から立ち上がる等の動作によって、和装用タイツがずれてしまう恐れは無い。
【考案の効果】
【００１０】
本考案によれば、足先の冷えを防ぐとともに、着脱することなく容易に用を足すことができ、下腹部が蒸れにくい和装用タイツを提供することができる。
【００１１】
本考案の上述の目的、その他の目的、特徴及び利点は、図面を参照して行う以下の考案を実施するための形態の説明から一層明らかとなろう。
【図面の簡単な説明】
【００１２】
【図１】本考案に係る和装用タイツの正面図である。
【図２】本考案に係る和装用タイツの背面図である。
【図３】本考案に係る和装用タイツの着用状態を示す前面側からみた斜視図である。
【図４】本考案に係る和装用タイツの着用状態を示す背面側からみた斜視図である。
【図５】本考案に係る和装用タイツの着用し、着物を着用した状態を示す正面図である。
【図６】一般的な足袋の構造を示す斜視図である。
【考案を実施するための形態】
【００１３】
本考案に係る和装用タイツ１０について、図１ないし図５に基づいて説明する。図１は、本考案に係る和装用タイツの正面図である。図２は、本考案に係る和装用タイツの背面図である。図３は、本考案に係る和装用タイツの着用状態を示す前面側からみた斜視図である。図４は、本考案に係る和装用タイツの着用状態を示す背面側からみた斜視図である。図５は、本考案に係る和装用タイツの着用し、着物を着用した状態を示す正面図である。
【００１４】
なお、図１および図２において、上下方向とは、つま先１２２から下腹部１１０Ａまたは臀部１１０Ｂに向かう方向である。また、和装用タイツ１０を着用した際に右脚側を右、左脚側を左とする。したがって、左右方向は、上下方向に直交し、和装用タイツ１０を着用した際に右脚側と左脚側を結ぶ方向である。
【００１５】
図１および図２に示すように、和装用タイツ１０は、パンティ部２０と、パンティ部２０の下端に連続して設けられた左右一対の脚部４０と、それぞれの脚部４０に連続して設けられた足部５０とを備える。パンティ部２０、脚部４０および足部５０は、一体的に形成される。
【００１６】
和装用タイツ１０は、図６に示す足袋７０とともに着用するものである。和装用タイツ１０は、素足と足袋７０との間に着用される。足袋７０は、足の親指を入れる内甲７２と、親指以外の足指を入れる外甲７４と、底７６とを有する。また、土踏まず側のくるぶしの近傍において、内甲７２側に受け糸７８と、外甲７４側にこはぜ８０とが設けられている。こはぜ８０を受け糸７８に掛止させることにより足袋７０を着用することができる。
【００１７】
（パンティ部２０）
パンティ部２０は、人の下腹部１１０Ａから大腿部１１２の上部まで、および臀部１１０Ｂから大腿部１１２の上部までの一部を覆う部分である。パンティ部２０は、脚部４０および足部５０よりも通気性のよい編み方で形成されていることが好ましい。
パンティ部２０の上端には、ウエストベルト部２２が設けられている。また、パンティ部２０の下端であって、それぞれの脚の大腿部１１２の上部を覆う部分にはランガード部２４が設けられている。さらに、パンティ部２０は、パンティ部２０の前面２６から背面２８の一部であって、和装用タイツ１０を着用した際に下腹部１１０Ａから股部１１８および臀部１１０Ｂを覆う部分の一部に開口部３０が一体的に設けられている。
【００１８】
ウエストベルト部２２は、パンティ部２０の上端であって、腹囲を覆うように環状に設けられている。また、ウエストベルト部２２は、和装用タイツ１０の履き口であり、和装用タイツ１０がずり落ちることがないように、腹囲およびその近傍で和装用タイツ１０を固定するために設けられている。ウエストベルト部２２は、和装用タイツ１０と一体的に設けられる。また、ウエストベルト部２２は、他の部位よりも伸縮性がある糸を使用したり、伸縮性がある編み方で編まれている。例えば、ウエストベルト部２２を伸縮性がある糸で二重に形成することにより、適度に腹囲を締め付けることができるとともに、ウエストベルト部２２を補強することができる。
【００１９】
ランガード部２４は、パンティ部２０と脚部４０との連結部分に設けられている。ランガード部２４は、着用した際に大腿部１１２の上部に位置する。本考案の実施の形態では、ランガード部２４をウエストベルト部２２と水平に設けているが、左右の側腹部１１０Ｃ,１１０Ｄに向かって斜めに設けてもよい。また、ランガード部２４は、パンティ部２０や脚部４０で生じた糸のほつれ（いわゆる電線）が広がらないようにする部分である。一般にタイツやストッキングは、糸のほつれ（いわゆる電線）が生じると、上下方向に裂けてしまう。特に、パンティ部２０は手の爪が引っかかり、糸がほつれてしまうことが多い。ランガード部２４を設けて、パンティ部２０や脚部４０で生じた糸のほつれを広がらないようにすることで、暫くの間は着用することができる。また、ランガード部２４の編み方をパンティ部２０の編み方や脚部４０の編み方と変えたり、伸縮性のある糸を使用することで、糸のほつれが広がらないようにしている。
【００２０】
開口部３０は、パンティ部２０の前面２６から背面２８の一部であって、和装用タイツ１０を着用した際に下腹部１１０Ａから股部１１８および臀部１１０Ｂを覆う部分の一部に一体的に設けられている。言い換えると、パンティ部２０は、用を足すため（排泄するため）の器官である外尿道口および肛門ならびにそれらの近傍には設けられていない。したがって、パンティ部２０は、和装用タイツ１０を着用した際に、開口部３０以外の部分である右側腹部１１０Ｃから下腹部１１０Ａの上部および臀部１１０Ｂの上部ならびに左側腹部１１０Ｄまでを覆うように一体的に設けられている。これにより、下腹部１１０Ａおよび臀部１１０Ｂを蒸れにくくすることができる。
【００２１】
開口部３０の形状は限定されない。本考案の実施の形態では、和装用タイツ１０を着用した際に、左右の骨盤の突部を結んだ線上であって、和装用タイツ１０の左右の中心線上に開口部３０の上端Ｃ、Ｃ´が設けられている。開口部３０の上端Ｃ、Ｃ´よりも上の部分、すなわち、和装用タイツ１０を着用した際に、左右の骨盤の突部を結んだ線より上の部分をパンティ部２０が身体の中心方向に向かって締め付けることにより、パンティ部２０はねじれることなく腹囲およびその近傍を固定し、さらにパンティ部２０の強度も保持できる。また、開口部３０の下端Ａ、Ｂがランガード部２４の上端またはその近傍に設けられている。開口部３０の下端Ａ、Ｂに歩行等によって力がかかったとしても、ランガード部２４が存在するため、脚部４０がほつれることはない。さらに、正座から立ち上がる際に足袋７０の上端より上の部分（下腿部１１４）が着物の裾から見えたとしても、和装用タイツ１０の脚部４０が見えるだけであり、開口部３０は見えない。
【００２２】
また、本考案の実施の形態では、和装用タイツ１０を正面および背面から見て、和装用タイツ１０の開口部３０は、右脚側の開口部３０の下端Ａおよび左脚側の開口部３０の下端Ｂを重ねると、右脚側の開口部３０の下端Ａおよび左脚側の開口部３０の下端Ｂと開口部３０の上端Ｃ、Ｃ´とが尖った紡錘形状をしている。また、開口部３０の上端Ｃ、Ｃ´から開口部３０の右端Ｄ、Ｄ´を経て開口部３０の下端Ａに至る開口曲線、および開口部３０の上端Ｃ、Ｃ´から開口部３０の左端Ｅ、Ｅ´を経て開口部３０の下端Ｂに至る開口曲線は、正面視楕円の円弧状であることが好ましい。
そうすると、和装用タイツ１０を着用した際に、身体に沿うように和装用タイツ１０が引っ張られるため、正面から見ると、右脚側の開口部３０の下端Ａおよび左脚側の開口部３０の下端Ｂは、それぞれの脚の大腿部１１２の上部に位置するように形成され、開口部３０の正面側の上端Ｃは、身体の中心線上に位置するように形成され、開口部３０の正面側の右端Ｄおよび開口部３０の正面側の左端Ｅは、それぞれの脚の中心線上に位置するように形成される。背面から見ると、右脚側の開口部３０の下端Ａおよび左脚側の開口部３０の下端Ｂは、それぞれの脚の大腿部１１２の上部に位置するように形成され、開口部３０の背面側の上端Ｃ´は、身体の中心線上であって、尾てい骨の近傍に位置するように形成され、開口部３０の背面側の右端Ｄ´および開口部３０の背面側の左端Ｅ´は、それぞれの脚の中心線上に位置するように形成される。また、底面から見ると、開口部３０は開口部の下端Ａ、Ｂを通る帯状に形成される。さらに、開口部３０の右端Ｄ、Ｄ´から開口部３０の上端Ｃ、Ｃ´を経て開口部３０の左端Ｅ、Ｅ´に至る開口曲線は、正面視および背面視円弧状であり、開口部３０の上端Ｃ、Ｃ´から右脚側の開口部３０の下端Ａに至る開口曲線と開口部３０の上端Ｃ、Ｃ´から左脚側の開口部３０の下端Ｂに至る開口曲線とは、身体の中心線において線対称であり、開口部３０は全体として卵型となる。
これにより、和装用タイツ１０を着用した際に、パンティ部２０の開口部３０側の周縁となるステッチ部３２が排泄器官である外尿道口および肛門から離れた位置に設けられるため、パンティ部２０が排泄物によって汚れる心配が少なく、和装用タイツ１０を清潔に着用することができる。また、和装用タイツ１０の開口部３０が正面および背面から見ると同一の形状で設けられているため、後述する製造工程の開口部３０に相当する部分を切り取る工程において、パンティ部２０の前面２６および後面２８を気にすることなく作業をすることができる。パンティ部２０の後面２８では、肛門およびその近傍を被覆しないように開口部３０が設けられるため、パンティ部２０の前面２６および後面２８を同一の形状で設けると、パンティ部２０の前面２６も大きく開口する。パンティ部２０の前面２６が大きく開口していることにより、下腹部１１０Ａを蒸れにくくすることができる。
【００２３】
さらに、パンティ部２０の開口部３０側の周縁には、ほつれ止め加工がされている。具体的には、例えば、パンティ部２０の開口部３０側の周縁に、ほつれ止めとして別素材を縫着したステッチ部３２が設けられている。これにより、人の肌と当接する部分には別素材の布は当たらないため、不快感が無く着用することができる。また、別素材の布によりパンティ部２０の開口部３０側の周縁が補強されており、パンティ部２０の周縁のねじれを防止することができる。
【００２４】
また、図３および図４に示すように、和装用タイツ１０を着用後に、斜線で示す下半身用下着９０を着用することによって、和装用タイツ１０を上げ下ろしすることなく、下半身用下着９０を着脱し、容易に用を足すことができる。そして、和装用タイツ１０を着脱する必要がなくなるため、着脱時に手の爪による和装用タイツ１０の破損を防ぐことができる。また、和装する際は、下腹部１１０Ａの周辺に重なる布が多くなり、蒸れやすくなり、不快感が生じるが、開口部３０が大きく設けられていることにより、下腹部１１０Ａを蒸れにくくすることができる。さらに、近年、温水洗浄便座が普及しており、和装用タイツ１０の着用者が温水洗浄便座を使用したとしても、開口部３０が設けられているため、開口部３０以外のパンティ部２０がノズルから噴出する温水によって濡れることなく着用することができ、衛生的である。
【００２５】
（脚部４０）
それぞれの脚部４０は、足首１２０から大腿部１１２の上部までを覆う部分である。また、脚部４０は、筒状でありパンティ部２０のそれぞれのランガード部２４から一体に形成されている。
【００２６】
（足部５０）
それぞれの足部５０は、つま先１２２から足首１２０までを覆う部分である。また、足部５０は、それぞれの脚部４０から一体に形成されている。足部５０は、親指を入れる親指袋５２と親指以外の４本の指を入れる四指袋５４とを有する。これにより、和装用タイツ１０を履いたあと、足袋７０を履いたとしても、足の親指と人差し指との間に和装用タイツ１０が溜まることなく履くことができ、不快感がない。
【００２７】
また、足部５０の甲５６には、クッション部５８が設けられている。クッション部５８は、草履や下駄等を履いたときに鼻緒が当接する部分である。クッション部５８の大きさは、上下方向が甲５６の１／２以上とし、左右方向は甲５６の同程度とすることが好ましい。このような大きさのクッション部５８を有することにより、本考案の和装用タイツ１０を着用して、その上に足袋７０を履いた場合、正座をしても足袋７０の中央にある縫目が直接当たらず、痛みを軽減することができる。そして、草履や下駄等を履いて歩行する場合でも、クッション部５８の幅が広いので鼻緒が擦れることによる痛みを軽減することができる。また、クッション部５８は、クッション性がある別部材を貼着や縫着により取付けることも可能であるが、編成時に添糸編みにより編糸よりも太い編糸を添えて一緒に編みこんで編成することが好ましい。別部材を貼着や縫着により取付ける場合は、洗濯等により外れてしまう可能性があるが、和装用タイツ１０の編成時に編みこんで編成することにより、クッション性を有しつつ、洗濯等によって外れることはなく、丈夫である。クッション部５８を添糸編みにより編成する場合、クッション部５８と甲５６との境界において、添え糸をカットすることが好ましい（カットボス編み）。さらに、クッション部５８の形状は、任意であり、菱形状、円形状、楕円形状、長方形状などのいずれの形状としてもよい。例えば、本考案の実施の形態では、クッション部５８は六角形状であり、和装用タイツ１０を着用した際に足部５０の外側の部分の後面までクッション部５８が設けられている。これにより、より広い範囲で草履等の鼻緒部分が擦れることによる痛みを軽減することができる。
【００２８】
（和装用タイツ１０）
パンティ部２０、脚部４０および足部５０を構成する編糸は、従来のタイツやパンティストッキングと同様に厚手のもの、薄手のものなど種々の素材や太さの編糸を選択できる。また、デニール数も任意であるが、素足に見える３０デニールが好ましい。さらに、編組織は、平編みに限定されず、適宜の編組織を使用することができる。
【００２９】
糸使いの一例を挙げれば、パンティ部２０は、４０デニールのナイロン糸と、１５デニールのポリウレタン芯糸に２４デニールのナイロン糸を巻きつけたサポート糸とを交互に使用して編成する。脚部４０および足部５０は、１５デニールのポリウレタン芯糸に２４デニールのナイロン糸を巻きつけたサポート糸を使用して編成する。クッション部５８の添糸は、７０デニールのナイロン糸２本を撚り合わせた１４０デニールの双糸を使用する。これにより、パンティ部２０の強度を保ちつつ、適度に側腹部１１０Ｃ，１１０Ｄを締め付けることができる。脚部４０および足部５０は、素足に近い色であり、かつ足先の冷えを防ぐことができる。また、クッション部５８は、足袋７０を着用した際に、厚くなりすぎず、クッション性を得られる。なお、１デニールは約１．１ｄｔｅｘ（デーテックス）である。
【００３０】
また、和装用タイツ１０は、以下の手順により製造される。まず、筒状に編成された一対の編地を用い、パンティ部２０に相当する部分に切れ目を入れ、裁断縁同士をつき合わせて縫着して一体化する。次に、パンティ部２０の開口部３０に相当する部分を切り取る。最後に、パンティ部２０の開口部３０側の周縁にほつれ止めとしてステッチ部３２を設ける。このように製作することで、開口部３０を形成可能な製造装置を設けることなく製造することができる。
【００３１】
さらに、図５は、本考案に係る和装用タイツの着用し、着物を着用した状態を示す正面図である。図５では、着物や帯などの外見上視認できる部分を実線、本考案に係る和装用タイツ１０を一点鎖線、そのほかの部分を破線としている。図５に示すように、着物Ｋを着用する前に、本考案に係る和装用タイツ１０を着用し、その後、下半身用下着９０を着用することが好ましい。着付けをする前にどのあたりに帯Ｏを締めるかを想定することはできるが、必ずしも想定する位置に帯Ｏを締めることができるとは限らない。一般的に左右の骨盤よりも上に帯Ｏを締めるため、従来の和装用タイツを左右の骨盤の突部よりも下にウエストベルトがくるように従来の和装用タイツを履くと、歩行や正座から立ち上がる等の動作によって、和装用タイツがずれてしまう恐れがある。しかし、本考案に係る和装用タイツ１０を着用し、その後、下半身用下着９０を着用することで、ウエストベルト部２２が帯Ｏの下にあったとしても、下半身用下着９０の履き口は帯Ｏよりも下になるため、和装用タイツ１０を着脱することなく、下半身用下着９０を上げ下ろしすることができ、容易に用を足すことができる。また、ウエストベルト部２２が腹囲およびその近傍を固定しているため、歩行や正座から立ち上がる等の動作によって、和装用タイツ１０がずれてしまう恐れは無い。
【００３２】
（効果）
以上より、本考案に係る和装用タイツ１０を着用することにより、足先の冷えを防止することができる。また、図５に示すように、和装用タイツ１０を着用後に下半身用下着９０を着用することによって、和装用タイツ１０を上げ下ろしすることなく、下半身用下着９０を着脱し、容易に用を足すことができる。さらに、和装用タイツ１０を着脱する必要がなくなるため、着脱時に手の爪によるタイツの破損を防ぐことができる。
【００３３】
また、和装時は肌襦袢、長襦袢、着物等複数枚重ねて着用するため、下腹部１１０Ａに布が重なり、さらに足の冷えを防ぐために従来の和装用タイツを履くと更に蒸れやすくなるが、本考案に係る和装用タイツ１０は開口部３０が設けられており、下腹部１１０Ａを蒸れにくくすることができる。
【００３４】
以上のように、本考案の実施の形態は、前記記載で開示されているが、本考案は、これに限定されるものではない。
すなわち、本考案の技術的思想及び目的の範囲から逸脱することなく、以上説明した実施の形態に対し、機序、形状、材質、数量、位置又は配置等に関して、様々の変更を加えることができるものであり、それらは、本考案に含まれるものである。
【００３５】
本考案に係る和装用タイツ１０は、素足と足袋７０の間に履くことを想定しているけれども、それだけに限定されない。足袋７０を履かない場合でも、草履や下駄やトングサンダルのような鼻緒を有する履物を履く際に、和装用タイツ１０を着用することによって、足先の冷えを防ぐとともに、和装用タイツ１０を着脱することなく容易に用を足すことができ、下腹部１１０Ａが蒸れにくいタイツとして着用することもできる。
【符号の説明】
【００３６】
１０  和装用タイツ
２０  パンティ部
２２  ウエストベルト部
２４  ランガード部
２６  正面
２８  背面
３０  開口部
３２  ステッチ部
３４  縫い目
４０  脚部
５０  足部
５２  親指袋
５４  四指袋
５６  甲
５８  クッション部
７０  足袋
７２  内甲
７４  外甲
７６  底
７８  受け糸
８０  こはぜ
９０  下半身用下着
１１０Ａ  下腹部
１１０Ｂ  臀部
１１０Ｃ  右腹部
１１０Ｄ  左腹部
１１２  大腿部
１１４  下腿部
１１６  足
１１８  股部
１２０  足首
１２２  つま先
Ｋ  着物
Ｏ  帯
【図１】
0003217550.tif 000003
【図２】
0003217550.tif 000004
【図３】
0003217550.tif 000005
【図４】
0003217550.tif 000006
【図５】
0003217550.tif 000007
【図６】
0003217550.tif 000008